(57)【要約】【課題】パネル駆動処理装置において、パネルの自己起動時にエラーを検出する手段を提供する。【解決手段】パネル駆動処理装置のパネル駆動ＬＳＩ２内部に、パネル起動モード選択部６と、自己起動用のクロック、リセット制御部７と、ＤＭＡ転送制御部８と、転送プロトコル変換部９と、チェックサム算出部１０と、エラー検出部１１とを備え、チェックサム算出部１０とチェックサム期待値が一致しなければ、指定回数を最大として、起動シーケンス制御をパネル起動モード選択部６から再実行し、エラー時にはＬＳＩ端子にエラーフラグを出力するように構成した。チェックサム算出部１０は、主記憶部４から読み出した制御コマンド、データ群からなる複数種類のデータセットの中でデータ群に対するチェックサムを算出する。【選択図】図２
2012002838.tif 000002
【特許請求の範囲】
【請求項１】
パネル駆動ＬＳＩ内部に、パネル起動モード選択部と、自己起動用のクロック、リセット制御部を備え、パネルの電源起動時にＤＭＡ転送制御部を介して、前記パネル駆動ＬＳＩに接続された主記憶部から、制御コマンドとデータ群を複数セット読み出し、パネルの自己起動に必要なデータを、前記パネル駆動ＬＳＩ内部の転送プロトコル変換部により、画質設定、パネル駆動設定レジスタに書き込むのと同時に、前記パネル駆動ＬＳＩ内部のチェックサム算出部で前記データ群のチェックサムを算出し、前記チェックサム算出部と前記主記憶部から読み出したチェックサム期待値の比較によりエラー検出を行い、エラー検出時に指定回数を最大として起動シーケンス制御を最初から再実行し、指定回数実行後エラー時に前記ＬＳＩ端子にエラーフラグを出力することを特徴とするパネル駆動処理装置。
【請求項２】
パネル自己起動時のエラー発生時に、前記フラグエラーフラグを外部から読み出し、パネル電源をオフ制御することを特徴とする請求項１に記載のパネル駆動処理装置。
【請求項３】
パネル自己起動のステータス、エラーステータスを前記パネル駆動ＬＳＩ内部のレジスタに格納し、パネル自己起動時のエラー発生時にエラー要因の特定を行うことを特徴とする請求項１ないしは2に記載のパネル駆動処理装置。
【請求項４】
高精細パネル使用時等に、前記ＬＳＩを複数個使用し、全てのＬＳＩの前記エラーフラグからの自己起動エラー状態判定部を有して、エラー処理を行うことを特徴とする請求項１から3のいずれかに記載のパネル駆動処理装置。
【発明の詳細な説明】
【技術分野】
【０００１】
本発明は、液晶ディスプレイ、プラズマディスプレイなどのパネル駆動処理装置に関する。
【背景技術】
【０００２】
一般に、液晶ディスプレイ、プラズマディスプレイは、映像データ受信回路部、画質調整回路部、パネル駆動回路部から構成されており、TV、業務用ディスプレイ、外販用ディスプレイ等の目的に応じて上記回路の実現方式が異なる。
【０００３】
外販用ディスプレイのパネル検査工程では、映像データ受信回路部、画質調整回路部がなく、外部からのパネル制御が不可能な状態でパネルを使用するケースがあるため、電源をオンすることだけによりパネルを自動的に起動出来ること（以下、自己起動と略記する）が要求されており、エラー発生時にはパネルに対して適切な制御を行うことが必要である。システム起動時のエラー検出手段については、たとえば下記特許文献１に開示されているものが知られており、主記憶部からRAMへのデータ転送時に書込みエラーになったアドレスのデータのみ再書込みすることを特徴としている。
【先行技術文献】
【特許文献】
【０００４】
【特許文献１】特開平５−１２１３２号公報
【発明の概要】
【発明が解決しようとする課題】
【０００５】
本発明は、パネルの自己起動時にエラーを検出し、エラー時のパネル破壊防止、エラー要因の特定を行うことを目的とするものである。
【課題を解決するための手段】
【０００６】
この課題を解決するために、本発明のパネル駆動処理装置は、パネル駆動ＬＳＩ内部に、パネル起動モード選択部と、自己起動用のクロック、リセット制御部と、ＤＭＡ転送制御部と、転送プロトコル変換部と、チェックサム算出部と、エラー検出部とを備え、前記チェックサム算出部とチェックサム期待値が一致しなければ、指定回数を最大として起動シーケンスを最初からやり直し、エラー時にはＬＳＩ端子にエラーフラグを出力することを特徴としている。前記チェックサム算出部は、前記パネル駆動ＬＳＩ外部の主記憶部から読み出した、制御コマンド、データ群からなる複数種類のデータセットの中でデータ群に対するチェックサムを算出する。
【発明の効果】
【０００７】
本発明によれば、パネルの自己起動時にエラーが発生した場合に、パネルを破壊することなく安全に起動できるという効果が得られる。
【図面の簡単な説明】
【０００８】
【図１】パネル駆動処理装置の概略構成を示す図
【図２】パネル駆動処理装置の詳細構成を示す図
【図３】主記憶部のデータ構成を示す図
【発明を実施するための形態】
【０００９】
以下本発明の実施の形態について、図１〜図３を使用して詳細に説明する。本実施形態の自己起動システムは、図１に示すように、電源ＩＣ１、パネル駆動ＬＳＩ２、パネル３、主記憶部４、パネル識別部５から構成される。
【００１０】
パネル駆動ＬＳＩ２は、図２に示すようにパネル起動モード選択部６と自己起動用のクロック、リセット制御部７と、ＤＭＡ転送制御部８と、転送プロトコル変換部９と、チェックサム算出部１０と、エラー検出部１１と、画像処理部１２と、駆動制御部１３を備えている。
【００１１】
次にパネル自己起動の制御方法について図２を用いて説明する。利用者はまずパネル駆動処理装置への電源投入を行う。すると電源ＩＣ１の制御によって電源ＩＣ１からパネル起動モード選択部６に対してリセット信号を送信する。また、パネル起動モード選択部６はパネル識別部５より、パネル種、パネル起動モード識別信号を受信し、自己起動をするか否かを判断するためのモード信号を自己起動用のクロック、リセット制御部７に出力する。
【００１２】
自己起動モード時には、クロック、リセット制御部７でクロック、リセット制御後、ＤＭＡ転送開始信号をＤＭＡ転送制御部８に出力する。ＤＭＡ転送制御部８から、主記憶部４に対して読み出し制御信号を出力すると、主記憶部４から自己起動用の各種レジスタ設定値が入力され、前記各種レジスタ設定値を転送プロトコル変換部９に出力すると同時に、チェックサム算出部１０に出力する。転送プロトコル変換部９で画質処理部１２と駆動処理部１３の各種レジスタにデータを書込み可能なプロトコルに変換して、各種設定を実現する。
【００１３】
チェックサム算出部１０は、主記憶部４から読み出したデータのチェックサムを算出する。図３に示すように、主記憶部４に格納されているデータの中で、自己起動用各種設定は、制御コマンド、データ群からなる複数種類のデータセットであり、チェックサム算出部１０で算出する部分は、各データセットのデータ群のチェックサムである。また、チェックサム期待値についても、上記データ群の一部に含まれる。
【００１４】
チェックサム算出部１０と前記チェックサム期待値が一致しなければ、指定回数を最大として起動シーケンス制御をパネル起動モード選択部６から再実行する。エラー検出部１１でのエラー検出時には、ＬＳＩ端子にエラーフラグを出力して、パネル駆動ＬＳＩ２の外部から状態を確認できるようにする。
【００１５】
以上のように本発明によれば、液晶ディスプレイ、プラズマディスプレイなどで、パネル破壊なく自己起動可能なパネル駆動処理装置を提供することができる。
【産業上の利用可能性】
【００１６】
本発明は、液晶ディスプレイ、プラズマディスプレイなどのパネル駆動処理装置に適用可能な、パネルを破壊することなく、自動起動可能なパネル駆動処理装置である。
【符号の説明】
【００１７】
１    電源ＩＣ
２    パネル駆動ＬＳＩ
３    パネル
４    主記憶部
５    パネル識別部
６    パネル起動モード選択部
７    クロック、リセット制御部
８    ＤＭＡ転送制御部
９    転送プロトコル変換部
１０    チェックサム算出部
１１    エラー検出部
１２    画質処理部
１３    駆動制御部
【図１】
2012002838.tif 000003
【図２】
2012002838.tif 000004
【図３】
2012002838.tif 000005